(57)【要約】【課題】発熱体冷却装置の寸法を大きくすることなく、発熱体の冷却効果を十分に高めることができる発熱体冷却装置を提供する。【解決手段】ヒートシンク３のベース７を柱状に形成する。複数枚の放熱フィンが軸流ファン装置５が配置される側から見たベース７の輪郭を越えて外側に位置するようにヒートシンク３を構成する。【選択図】　図１
2004104020.tif 000002
【特許請求の範囲】
【請求項１】
裏面に冷却されるべき発熱体が装着されるベース及び前記ベースに対して固定された複数枚の放熱フィンからなるヒートシンクと、
前記ヒートシンクの上方側に配置されて少なくとも前記複数枚の放熱フィンに沿って空気を流して前記放熱フィンからの放熱を促進するファン装置とを具備する発熱体冷却装置であって、
前記ヒートシンクは、ベースが柱状を呈しており、前記複数枚の放熱フィンが前記ファン装置が配置される側から見た前記ベースの輪郭を越えて外側に位置するように構成されていることを特徴とする発熱体冷却装置。
【請求項２】
裏面に冷却されるべき発熱体が装着されるベース及び複数枚の放熱フィンを備えて前記ベースに対して固定された放熱フィン群からなるヒートシンクと、
前記ヒートシンクの上方側に配置されて少なくとも前記放熱フィン群を構成する前記複数枚の放熱フィンに沿って空気を流して前記放熱フィンからの放熱を促進するファン装置とを具備する発熱体冷却装置であって、
前記ヒートシンクの前記ベースは柱状を呈しており、
前記複数枚の放熱フィンは前記ベースの外周部から前記ベースの径方向外側に位置しており、
前記ファン装置は、モータと、前記モータのロータに対して固定されて回転駆動されるブレード取付部及び該ブレード取付部の円筒状の外周部に設けられた複数枚のブレードを備えてなるインペラと、前記インペラを回転可能に収納する筒状の風洞部を備えたファンケースと、前記ファンケースと前記モータとの間に配置されて前記モータを支持する複数本のウエブとを備え、前記複数枚の放熱フィンに向かって空気を吹き付けるように構成された軸流ファン装置であり、
前記ロータの回転中心と前記ベースの中心とがほぼ整合するように前記ファン装置が前記ヒートシンクに対して取り付けられており、
前記ベースを裏面側から見た前記ベースの輪郭が、前記ファン装置を裏面側から見た前記インペラの輪郭の内側に位置するように定められていることを特徴とする発熱体冷却装置。
【請求項３】
前記ファンケースは前記風洞部の外側に位置して前記ヒートシンクと対向する対向壁部と、前記対向壁部に設けられ且つ前記ヒートシンク側に向かって延びる周壁部とを備え、
前記ファンケースは前記対向壁部と前記ヒートシンクとの間に前記インペラから吐き出された空気が通る空間を形成するが、前記空間を通る空気の全部または大部分が前記放熱フィン群の中を通ることなく直接前記ファンケースの外部に排出されるのを阻止するように構成されている請求項２に記載の発熱体冷却装置。
【請求項４】
前記空間の厚みが前記風洞部から離れるに従って小さくなるように前記ファンケースが形成されている請求項３に記載の発熱体冷却装置。
【請求項５】
前記放熱フィン群を構成する前記複数枚の放熱フィンは、
前記ベースの外周部から直接前記径方向に延びて前記ベースの前記外周部を囲む囲繞空間を複数の分割空間に分割する２枚以上の空間分割用放熱フィンと、
前記分割空間内に位置して前記分割空間を更に小さく分割するように隣接する２枚の前記空間分割用放熱フィンからそれぞれ及び前記２枚の空間分割用放熱フィンの間に位置する前記ベースの外周部分からそれぞれ外側に延びる複数枚の細分割用放熱フィンとからなる請求項３に記載の発熱体冷却装置。
【請求項６】
１つの前記分割空間内に位置している前記複数枚の細分割用放熱フィンは、互いにほぼ平行に延びている請求項３に記載の発熱体冷却装置。
【請求項７】
１つの前記分割空間内に位置している前記複数枚の細分割用放熱フィンは、前記インペラが回転する方向と逆の方向に傾斜している請求項６に記載の発熱体冷却装置。
【請求項８】
前記２枚以上の空間分割用放熱フィンの形状は、各前記空間分割用放熱フィンに結合されている前記複数枚の細分割用放熱フィンを通して十分な放熱を行うことができるように定められている請求項３または４に記載の発熱体冷却装置。
【請求項９】
前記２枚以上の空間分割用放熱フィンの先端部には、それぞれ前記ファンケースを係止するための被係止部が一体に設けられ、前記ファンケースには複数の前記被係止部に係止される２以上の係止片が一体に設けられており、前記被係止部への前記係止片の係止により前記ファン装置が前記ヒートシンクに対して装着されている請求項３に記載の発熱体冷却装置。
【請求項１０】
前記ベースの周方向に互いに１８０°離れた２箇所の位置に２枚の前記空間分割用放熱フィンが配置され、
さらに前記ベースの周方向に互いに１８０°離れた別の２箇所の位置に２枚の前記空間分割用放熱フィンが配置され、
前記ベースの径方向に対向する２つの前記分割空間を囲む２枚の前記空間分割用放熱フィン間の角度が等しくなるように４枚の前記空間分割用放熱フィンが配置され、
前記４枚の空間分割用放熱フィンの先端部には、それぞれ前記ファンケースを係止するための被係止部が一体に設けられ、
前記ファンケースには４つの前記被係止部に係止される４つの係止片が一体に設けられており、
前記４つの被係止部への前記４つの係止片の係止により前記ファン装置が前記ヒートシンクに対して装着されている請求項９に記載の発熱体冷却装置。
【請求項１１】
前記対向壁部には前記対向壁部と前記放熱フィン群との間に位置して前記空間を形成し且つ維持する複数のスペーサ手段が配置されている請求項１乃至１０のいずれか１つに記載の発熱体冷却装置。
【請求項１２】
前記ベースは、前記放熱フィン群と一体に形成されて内部に空洞を有する中空部と、前記空洞内に前記中空部と熱伝達可能に配置されて前記放熱フィン群及び前記中空部を形成するために用いる材料よりも熱伝導率の高い高熱伝導率体とからなる請求項１乃至１１のいずれか１つに記載の発熱体冷却装置。
【請求項１３】
前記空洞は上下方向に開口する貫通孔からなり、
前記高熱伝導率体は前記貫通孔内の下面から上面に向かう８０％以上９０％以下の空間を完全に埋めている請求項１２に記載の発熱体冷却装置。
【発明の詳細な説明】
【０００１】
【発明の属する技術分野】
本発明は、電子部品等の発熱体を冷却する発熱体冷却装置に関するものである。
【０００２】
【従来の技術】
裏面に冷却されるべき発熱体が装着されるベース及びベースに対して固定された複数枚の放熱フィンからなるヒートシンクと、ヒートシンクの上方側に配置されて少なくとも複数枚の放熱フィンに沿って空気を流して放熱フィンからの放熱を促進するファン装置とを具備する発熱体冷却装置が知られている。この発熱体冷却装置では、発熱体から発生した熱がベースから複数枚の放熱フィンに伝達され、ファン装置から複数枚の放熱フィンに沿って流れる空気により、放熱フィンの熱を奪って発熱体を冷却する。
【０００３】
米国特許第６，１３７，６８０号公報及び米国特許第５，７２４，２２８号公報には、ベースの上に平行に並ぶ複数枚の放熱フィンを備えたヒートシンクをファン装置で冷却する電子部品冷却装置が示されている。ファンケースとヒートシンクの放熱フィンとの間には空気が流れる空間が形成されている。この空間は放熱フィンが延びる方向に開口している。
【０００４】
また米国特許第６，３０１，１１０号公報には、平行に延びる複数枚の放熱フィンとベースとを部分的に切断する複数のスリットが形成された電子部品冷却装置が開示されている。
【０００５】
米国特許第５，９４３，２０９号公報には、ベースの上に放射状に並ぶ複数枚の放熱フィンを備えた電子部品冷却装置が示されている。ファンケースは放熱フィンの上方に位置する空間を囲むスカート部を備えた構造を有している。
【０００６】
ヨーロッパ特許出願公開公報ＥＰ０８５６８８８Ａ２には、ピン状の放熱フィンを備えたベースの外縁部に複数のスリットを形成して、ファン装置から送られた風をそれらのスリットを通してベースの下側に流す構造を有する冷却装置が示されている。
【０００７】
【発明が解決しようとする課題】
しかしながら、近年では、電子部品等の発熱体の高性能化に伴い、発熱体の発熱量が高くなっている。そこで、ヒートシンクの寸法を大きくすることなく、しかも装置の重量を重くすることなく、発熱体冷却装置の冷却効果を更に高めることが求められていた。
【０００８】
本発明の目的は、ヒートシンクの寸法を大きくすることなく、しかも装置の重量を増加させずに、発熱体の冷却効果を十分に高めることができる発熱体冷却装置を提供することにある。
【０００９】
本発明の目的は、冷却性能が高く、しかも騒音の発生が少ない発熱体冷却装置を提供することにある。
【００１０】
【課題を解決するための手段】
本願発明において改良の対象とする発熱体冷却装置は、裏面に冷却されるべき発熱体が装着されるベース及びこのベースに対して固定された複数枚の放熱フィンからなるヒートシンクと、ヒートシンクの上方側に配置されて少なくとも複数枚の放熱フィンに沿って空気を流して放熱フィンからの放熱を促進するファン装置とを具備する発熱体冷却装置である。本発明で用いるヒートシンクでは、ベースが柱状を呈している。ベースはファン装置に向かって上下方向に立つように（ベースの中心とファン装置の中心とがほぼ一致するように）配置される。そして複数枚の放熱フィンをファン装置が配置される側から見たベースの輪郭を越えて外側に位置するように構成する。このように構成すると、ファン装置からの冷却用空気は、ベースの外周面と放熱フィンの外面に沿いながら流れる。そしてファン装置が位置する側とは反対側に位置する複数枚の放熱フィンの外側にはベースが存在しないので、ベースの存在が大きな抵抗となることがない。また発熱体からの熱は、発熱体側から柱状のベースに沿ってファン装置側に移動する。そのため各放熱フィンからは、ファン装置に近い位置からもまたファン装置から遠い位置からもベースから熱が伝達されることになり、従来よりも冷却性能を大幅に向上させることができる。
【００１１】
より具体的には、本発明は、裏面に冷却されるべき発熱体が装着されるベース及び複数枚の放熱フィンを備えてベースに対して固定された放熱フィン群からなるヒートシンクと、ヒートシンクの上方側に配置されて少なくとも放熱フィン群を構成する複数枚の放熱フィンに沿って空気を流して放熱フィンからの放熱を促進するファン装置とを具備する発熱体冷却装置を対象とする。そしてヒートシンクのベースを柱状を呈するものとする。また複数枚の放熱フィンは、ベースの外周部からベースの径方向外側に位置している。すなわち複数枚の放熱フィンは、直接的または間接的に柱状のベースに対して固定されており、ベースの径方向外側とベースの外周面の高さ方向（ファン装置からヒートシンクに向かう方向）に沿う方向の両方に延びている。
【００１２】
好ましいファン装置は、モータと、モータのロータに対して固定されて回転駆動されるブレード取付部及び該ブレード取付部の円筒状の外周部に設けられた複数枚のブレードを備えてなるインペラと、インペラを回転可能に収納する筒状の風洞部を備えたファンケースと、ファンケースとモータとの間に配置されてモータを支持する複数本のウエブとを備え、複数枚の放熱フィンに向かって空気を吹き付けるように構成された軸流ファン装置である。
【００１３】
そしてロータの回転中心とベースの中心とがほぼ整合するようにファン装置がヒートシンクに対して取り付けられている。またベースを裏面側から見た前記ベースの輪郭を、ファン装置を裏面側（ヒートシンク側）から見たインペラの輪郭の内側（好ましくは、ブレード取付部の外周部の内側）に位置するように定める。このようにすると、ファン装置によって実質的に冷却される複数枚の放熱フィンの大きさを可能な範囲で大きくすることができる。その結果、冷却装置を更に向上させることができる。
【００１４】
ファンケースは、風洞部の外側に位置してヒートシンクと対向する対向壁部と、対向壁部に設けられ且つヒートシンク側に向かって延びる周壁部とを備えている。そして、ファンケースは対向壁部とヒートシンクとの間にインペラから吐き出された空気が通る空間を形成するが、この空間を通る空気の全部または大部分が放熱フィン群の間を通ることなく直接ファンケースの外部に排出されるのを阻止するように構成するのが好ましい。このように構成すれば、インペラから吐き出された空気は、全部または大部分が複数の放熱フィンの間を通るため、放熱フィン群を通る冷却用空気の流量を高めることができ、発熱体の冷却効果を高めることができる。
【００１５】
この場合においても、ファンケースは、前述の空間の厚みが風洞部から離れるに従って小さくなるように形成するのが好ましい。このようにすれば、複数枚の放熱フィンの風洞部から離れた位置の部分においても、冷却用空気の流速が低下するのを阻止でき、発熱体の冷却効果を高めることができる。また、冷却用空気の乱流を防いで、ファン装置の騒音を低下させることができる。
【００１６】
放熱フィン群は、ベースの外周部から直接径方向に延びてベースの外周部を囲む囲繞空間を複数の分割空間に分割する２枚以上の空間分割用放熱フィンと、分割空間内に位置して分割空間を更に小さく分割するように隣接する２枚の空間分割用放熱フィンからそれぞれ及び２枚の空間分割用放熱フィンの間に位置するベースの外周部分からそれぞれ外側に延びる複数枚の細分割用放熱フィンとから構成することができる。このようにすれば、ベースを中心にして放射状に複数枚の放熱フィンを配置する場合と比べて複数枚の放熱フィンの総表面積を大きくすることができる。そのため冷却性能を向上させることができる。
【００１７】
１つの分割空間内に位置している複数枚の細分割用放熱フィンは、互いにほぼ平行に延ばすのが好ましい。このようにすると細分割用放熱フィンの枚数を可能な範囲で最も多くすることができる。
【００１８】
また、１つの分割空間内に位置している複数枚の細分割用放熱フィンは、インペラが回転する方向と逆の方向に傾斜させるのが好ましい。このようにすると冷却効果を高めることができる。この点の理由は明確ではないが、冷却用空気が効率よくフィンに当たるためであると考えられる。
【００１９】
２枚以上の空間分割用放熱フィンの形状は、各空間分割用放熱フィンに結合されている複数枚の細分割用放熱フィンを通して十分な放熱を行うことができるように定めるのが好ましい。ベースから離れるに従って空間分割用放熱フィンの温度は下がるため、これに応じて空間分割用放熱フィンの厚みはベースから離れるに従って厚みを薄くすればよい。
【００２０】
２枚以上の空間分割用放熱フィンの先端部には、それぞれファンケースを係止するための被係止部を一体に設けることができる。またファンケースには複数の被係止部に係止される２以上の係止片を一体に設けることができる。そして被係止部への係止片の係止によりファン装置をヒートシンクに対して装着するのが好ましい。このようにすれば、ヒートシンク及びファン装置の位置決めを容易に行って両者を固定することができる。
【００２１】
このような、係止構造を具体的に構成するには、例えば、次のようにする。まずベースの周方向に互いに１８０°離れた２箇所の位置に２枚の空間分割用放熱フィンを配置する。さらにベースの周方向に互いに１８０°離れた別の２箇所の位置に２枚の空間分割用放熱フィンを配置する。そしてベースの径方向に対向する２つの分割空間を囲む２枚の空間分割用放熱フィン間の角度が等しくなるように４枚の空間分割用放熱フィンを配置する。その上で、４枚の空間分割用放熱フィンの先端部に、それぞれファンケースを係止するための被係止部を一体に設ける。また、ファンケースには４つの被係止部に係止される４つの係止片を一体に設ける。４つの被係止部への４つの係止片の係止によりファン装置をヒートシンクに対して装着する。このようにすれば、４つの空間分割用放熱フィンを利用してヒートシンク及びファン装置の位置決めを確実にできる係止構造を簡単に構成することができる。
【００２２】
対向壁部と複数枚の放熱フィン群との間に位置する空間を形成し且つ維持するには、例えば、対向壁部に複数のスペーサ手段を配置すればよい。
【００２３】
ベースは、放熱フィン群よりも熱伝導性が高い材質により形成するのが好ましい。このようにすれば、ヒートシンクを低コストで軽重量にして、しかもヒートシンク全体の熱伝導性を高めることができる。この場合、例えば、ベースを放熱フィン群と一体に形成されて内部に空洞を有する中空部と、空洞内に中空部と熱伝達可能に配置されて放熱フィン群及び中空部を形成するために用いる材料よりも熱伝導率の高い高熱伝導率体とから構成する。このようにするとベースを通して効率よく熱を放熱フィンに対して伝達することができる。なおこの場合には、空洞を上下方向に開口する貫通孔から形成することができる。そして高熱伝導率体は、貫通孔内の下面から上面に向かう８０％以上９０％以下の空間を完全に埋めるようにすればよい。
【００２４】
【発明の実施の形態】
図１（Ａ）〜（Ｄ）は、電子部品冷却装置に適用した本発明の第１の実施の形態の発熱体冷却装置の平面図、右側面図、正面図及び底面図であり、図２は、図１の電子部品冷却装置の断面図を概念的に示したものである。これらの各図に示すように、本例の電子部品冷却装置１は、ヒートシンク３と軸流ファン装置５とを有している。ヒートシンク３は、図３（Ａ）〜（Ｄ）に詳細に示すように、ベース７とベース７に対して固定された放熱フィン群９とを有している。ベース７は、内部に空洞を有する円筒形の中空部７ａと、空洞内に中空部７ａと熱伝導可能に配置されて中空部７ａを形成するために用いる材料よりも熱伝導率の高い高熱伝導率体７ｂとから構成される。高熱伝導率体７ｂは、放熱フィン群９及び中空部７ａの材質（アルミニウム）より熱伝導度の高い銅から形成されており、ほぼ円柱形状を呈している。ベース７の直径寸法（中空部７ａの外形寸法）は、図２に示すように、後述する軸流ファン装置５のインペラ２３の外径寸法以下である。この例では、高熱伝導率体７ｂは中空部７ａの空洞の下面から上面に向かう８０％以上９０％以下の空間を完全に埋めている。ベース７の外周には、放熱フィン群９が固定されている。ベース７の裏面（軸流ファン装置５が位置する側とは反対の面、即ち、底面７ｃ）には、冷却されるべき電子部品からなる発熱体Ｅが装着されることになる。このヒートシンク３では、放熱フィン群９の複数枚の放熱フィン（１３Ａ〜１３Ｄ，１５）の全部が、軸流ファン装置５が配置される側から見たベース７の輪郭（中空部７ａの輪郭）を越えて外側に位置するように構成されている。
【００２５】
放熱フィン群９は、円筒形の中空部７ａに一体に固定された４枚の空間分割用放熱フィン１３Ａ〜１３Ｄと、中空部７ａと空間分割用放熱フィン１３Ａ〜１３Ｄとに固定された複数枚の細分割用放熱フィン１５…とから構成されている。図１（Ｄ）及び図３（Ａ）〜（Ｄ）を参照して放熱フィン群９の構成について説明すると、４枚の空間分割用放熱フィン１３Ａ〜１３Ｄは、中空部７ａに固定された板状のフィン本体１３ａと、フィン本体１３ａの先端に固定された第１の板状部１３ｂと、第１の板状部１３ｂの先端に固定された第２の板状部１３ｃとを有している。フィン本体１３ａは、中空部７ａに一体固定された基部から先端部に向かう（中空部７ａの径方向外側に向かう）にしたがって厚み寸法（中空部７ａの周方向に沿う寸法）が徐々に小さくなる形状を有している。この形状は、複数枚の細分割用放熱フィン１５…を通して十分な放熱を行うことができるように定められている。第１の板状部１３ｂ及び第２の板状部１３ｃは、横断面形状（ヒートシンク３の裏面側から見た形状）がＬ字状になるように配置されている。そして、空間分割用放熱フィン１３Ａの第２の板状部１３ｃと空間分割用放熱フィン１３Ｄの第２の板状部１３ｃとが平行になり、空間分割用放熱フィン１３Ｂの第２の板状部１３ｃと空間分割用放熱フィン１３Ｃの第２の板状部１３ｃとが平行になるように、４枚の空間分割用放熱フィン１３Ａ〜１３Ｄは配置されている。第２の板状部１３ｃには、図１（Ｃ）並びに図３（Ｃ）及び（Ｄ）に示すように、切欠部１３ｄが形成されている。切欠部１３ｄは、後述するファンケース２５の係止片３５を係止するための被係止部を構成している。
【００２６】
４枚の空間分割用放熱フィン１３Ａ〜１３Ｄは、中空部７ａから直接径方向に放射状に延びて、ベース７の外周部を囲む囲繞空間を４つの分割空間Ｓ１〜Ｓ４に分割している。より具体的には、ベース７の周方向に互いに１８０°離れた２箇所の位置に２枚の空間分割用放熱フィン１３Ａ，１３Ｃが配置されている。また、ベース７の周方向に互いに１８０°離れた別の２箇所の位置に２枚の空間分割用放熱フィン１３Ｂ，１３Ｄが配置されている。そして、ベース７の径方向に対向する２つの分割空間Ｓ１，Ｓ３をそれぞれ囲む２枚の空間分割用放熱フィン１３Ａ，１３Ｂ間の角度θ１と２枚の空間分割用放熱フィン１３Ｃ，１３Ｄ間の角度θ２とが等しくなるように、４枚の空間分割用放熱フィン１３Ａ〜１３Ｄは配置されている。
【００２７】
複数枚の細分割用放熱フィン１５…は、分割空間Ｓ１〜Ｓ４内に位置して分割空間Ｓ１〜Ｓ４を更に小さく分割している。隣接する２枚の空間分割用放熱フィン（１３Ａ，１３Ｂ）（１３Ｂ，１３Ｃ）（１３Ｃ，１３Ｄ）（１３Ｄ，１３Ａ）間に位置する複数枚の細分割用放熱フィン１５…は、２枚の空間分割用放熱フィンの間に位置する中空部７ａの部分と２枚の空間分割用放熱フィンとからそれぞれ外側に延びている。各分割空間Ｓ１〜Ｓ４内に位置している複数枚の細分割用放熱フィン１５…は、互いにほぼ平行に外側に延びている。
【００２８】
軸流ファン装置５は、図１（Ａ）に示すように、モータ１７と、７枚のブレード１９…及びカップ状のブレード取付部２１（図２）を備えてモータ１７によって回転駆動されるインペラ２３と、ファンケース２５と、３本のウエブ２７Ａ〜２７Ｃとを備えている。そして、軸流ファン装置５は、ウエブ２７Ａ〜２７Ｃ側から空気を吸い込んで、放熱フィン群９に向かって空気を吹き付けるように動作する。本例では、ファンケース２５、モータ１７のハウジング１７ａ及びウエブ２７Ａ〜２７Ｃは合成樹脂材料を主原料とする成形材料により一体に形成されている。
【００２９】
図２に示すように、ブレード取付部２１は、モータ１７のロータ（図示せず）に対して固定されて回転駆動する構成を有している。軸流ファン装置５は、このロータの回転中心Ｃとベース７の中心Ｃ′とがほぼ一致するようにヒートシンク３に対して取り付けられている。そして、この例では、ベース７（中空部７ａ）の外径寸法は、ブレード取付部２１の外径寸法よりも小さく設定されている。
【００３０】
ファンケース２５は、図１（Ａ）〜（Ｄ）に詳細に示すように、インペラ２３を回転可能に収納する筒状の風洞部２９と、風洞部２９の外側に位置してヒートシンク３と対向する対向壁部３１と、対向壁部３１に設けられ且つベース７側に延びる周壁部３３と、対向壁部３１に設けられた４つの係止片３５…とを備えている。風洞部２９は、図１（Ｂ）及び（Ｃ）に示すように、インペラ２３のブレード１９…の一部が幅方向及び該幅方向と直交する横方向から見たときに露出するように構成されている。対向壁部３１には、図２に示すように、対向壁部３１と放熱フィン群９との間に位置して両者の間に空間３７を形成し且つ維持する２つのスペーサ手段３４，３４が配置されている。なお、スペーサ手段の数は任意である。
【００３１】
周壁部３３は、図１（Ｃ）及び（Ｄ）に示すように、前述の２つの分割空間Ｓ１，Ｓ３内の細分割用放熱フィン１５…の一部と横方向で対向する第１の一対の側壁部３３Ａ，３３Ａと、２つの分割空間Ｓ２，Ｓ４内の細分割用放熱フィン１５…と横方向で対向する第２の一対の側壁部３３Ｂ，３３Ｂとを有している。第１の一対の側壁部３３Ａ，３３Ａは、２つのスリット３６によって分割された３つの側壁構成部３８ａ，３８ｂ，３８ｃとから構成されている。両側の２つの側壁構成部３８ａ，３８ｃには、図示しない取付金具を係止するためのフック３８ｄ［図１（Ｂ）］が設けられている。スリット３６は、側壁構成部３８ａ，３８ｃが外力を受けたときに内側に向かって傾斜することを許容している。第１の一対の側壁部３３Ａ，３３Ａ及び第２の一対の側壁部３３Ｂ，３３Ｂは、図２に示すように、対向壁部３１とヒートシンク３との間にインペラ２３から吐き出された空気（矢印Ｆ）が通る空間３７を形成するが、空間３７を通る空気（矢印Ｆ）の全部または大部分が複数枚の細分割用放熱フィン１５…の間を通ることなく直接ファンケース２５の外部に排出されるのを阻止するように、空間３７の側方を囲むように配置されている。
【００３２】
４つの係止片３５…は、図１（Ｃ）に示すように、対向壁部３１からヒートシンク３に向かって延びる本体部３１ａと、本体部３１ａのヒートシンク３側の縁部からベース７に向かって突出する係合突部３１ｂとを有している。４つの係止片３５の一部は、それぞれ４枚の空間分割用放熱フィン１３Ａ〜１３Ｄの先端にある第２の板状部１３ｃに設けた切欠部１３ｄに、各係止片３５に設けた係合突部（またはフック）３１ｂを弾発係合（スナップイン係合）させる。このようにして、軸流ファン装置５はヒートシンク３に対して着脱可能に装着される。
【００３３】
ウエブ２７Ａ〜２７Ｃは、図１（Ａ）に示すように、ファンケース２５とモータ１７との間に配置されてモータ１７を支持している。ウエブ２７Ａ〜２７Ｃの内の１つのウエブ２７Ａは、モータ１７に電力を供給する導電線３９を内部に配置している。図１（Ａ）において、ウエブ２７Ｃを用いて説明すると、ウエブ２７Ａ〜２７Ｃは、モータ１７のハウジング１７ａと接合するモータ側接合部２７ａと、風洞部２９と接合する風洞部側接合部２７ｂとを有している。そして、モータ１７の中心点１７ｂとモータ側接合部２７ａとを結ぶ線を延長する仮想線Ｌ１の風洞部２９と交差する交差点Ｃ１よりも、風洞部側接合部２７ｂがインペラ２３の回転方向（矢印Ａ）側に位置するように、ウエブ２７Ａ〜２７Ｃは仮想線Ｌ１に対して傾斜して配置されている。
【００３４】
本例の発熱体冷却装置によれば、図２に示すように、軸流ファン装置５からの冷却用空気は、ベース７の外周面と放熱フィン群９の外面に沿いながら流れる。そして軸流ファン装置５が位置する側とは反対側に位置する複数枚の放熱フィンの外側にはベース７が存在しないので、ベース７の存在が大きな抵抗となることがない。また発熱体Ｅからの熱は、発熱体Ｅ側から柱状のベース７に沿って軸流ファン装置５側に移動する。そのため各放熱フィンには、軸流ファン装置５に近い位置からもまた遠い位置からもベース７から熱が伝達されることになり、従来よりも冷却性能を大幅に向上させることができる。また、本例では、第１の一対の側壁部３３Ａ，３３Ａ及び第２の一対の側壁部３３Ｂ，３３Ｂは、空間３７を通る空気の全部または大部分が複数枚の細分割用放熱フィン１５…の間を通ることなく直接ファンケース２５の外部に排出されるのを阻止するように、空間３７の側方を囲むように配置されているので、インペラ２３から吐き出された空気は、全部または大部分が放熱フィン群９の間を通る。そのため、放熱フィン群９の間を通る冷却用空気の流量を高めることができ、発熱体Ｅの冷却効果を更に高めることができる。
【００３５】
図４（Ａ）〜（Ｄ）は、本発明の第２の実施の形態の発熱体冷却装置に用いるヒートシンク１０３の平面図、右側面図、正面図及び底面図である。本例の発熱体冷却装置のヒートシンクは、複数枚の細分割用放熱フィン１１５…を除いては、図３に示すヒートシンクと同じ構造を有しているので、複数枚の細分割用放熱フィンを除く部材には、図３に付した符号に１００を加えた符号を付してその説明を省略する。本例では、分割空間Ｓ１〜Ｓ４の１つの分割空間内に位置している複数枚の細分割用放熱フィン１１５…は、インペラが回転する方向（矢印Ｂ）と逆方向に傾斜している。本例の発熱体冷却装置では、冷却効果を高めることができる。
【００３６】
【発明の効果】
本発明によれば、ベースの外側に放熱フィンの一部または全部が位置するように放熱フィンを配置するので、ベースの存在が空気の流れに対する大きな抵抗となることがない。そのため、放熱フィンに対応して全体的にベースが存在する場合よりも、冷却性能を上げることができる。この効果はファン装置の送風量が多くなればなるほど顕著になる。
【図面の簡単な説明】
【図１】（Ａ）〜（Ｄ）は、本発明の第１の実施の形態の発熱体冷却装置の平面図、右側面図、正面図及び底面図である。
【図２】図１に示す電子部品冷却装置の断面を概念的に示した図である。
【図３】（Ａ）〜（Ｄ）は、図１に示す電子部品冷却装置に用いるヒートシンクの平面図、右側面図、正面図及び底面図である。
【図４】（Ａ）〜（Ｄ）は、本発明の第２の実施の形態の発熱体冷却装置に用いるヒートシンクの平面図、右側面図、正面図及び底面図である。
【符号の説明】
１　電子部品冷却装置
３　ヒートシンク
５　軸流ファン装置
７　ベース
９　放熱フィン群
１１　外周部分
１３Ａ〜１３Ｄ　空間分割用放熱フィン
１３ｄ　切欠部（被係止部）
１５，１１５　細分割用放熱フィン
Ｓ１〜Ｓ４　分割空間
１７　モータ
１９　ブレード
２１　ブレード取付部
２３　インペラ
２５　ファンケース
２７Ａ〜２７Ｃ　ウエブ
２９　風洞部
３１　対向壁部
３３　周壁部
３５　係止片
３７　空間
【図１】
2004104020.tif 000003
【図２】
2004104020.tif 000004
【図３】
2004104020.tif 000005
【図４】
2004104020.tif 000006